(57)【要約】【課題】印刷ジョブについて印刷を行うための作業を簡素化することができ、記憶装置にユーザ情報を登録しておく必要がないようにする。【解決手段】操作部及び表示部を備えた操作・表示部と、情報記憶媒体を認識するための情報読取器と、印刷ジョブを記録するための第１の記憶部、並びに情報記憶媒体の媒体識別情報及びユーザ名を記録するための第２の記憶部を備えた記憶装置と、制御部１４とを有する。該制御部１４は、前記情報読取器によって情報記憶媒体が認識されたときに、該情報記憶媒体の媒体識別情報を読み込み、該媒体識別情報と第１の記憶部に記録された印刷ジョブのユーザ名とを対応させて第２の記憶部に記録することによって前記情報記憶媒体を登録する。画像形成装置の管理者でなくても、情報記憶媒体を容易に登録することができる。【選択図】図１
2018047651.tif 000002
【特許請求の範囲】
【請求項１】
（ａ）操作部及び表示部を備えた操作・表示部と、
（ｂ）情報記憶媒体を認識するための情報読取器と、
（ｃ）印刷ジョブを記録するための第１の記憶部、並びに情報記憶媒体の媒体識別情報及びユーザ名を記録するための第２の記憶部を備えた記憶装置と、
（ｄ）制御部とを有するとともに、
（ｅ）該制御部は、前記情報読取器によって情報記憶媒体が認識されたときに、該情報記憶媒体の媒体識別情報を読み込み、該媒体識別情報と第１の記憶部に記録された印刷ジョブのユーザ名とを対応させて第２の記憶部に記録することによって前記情報記憶媒体を登録することを特徴とする画像形成装置。
【請求項２】
前記制御部は、操作・表示部の表示部にユーザ一覧画面を形成し、該ユーザ一覧画面に、前記第１の記憶部に記録された印刷ジョブのユーザの一覧を表示する請求項１に記載の画像形成装置。
【請求項３】
前記ユーザ一覧画面が形成されているときに、前記情報読取器によって情報記憶媒体が認識された場合、前記制御部は前記情報記憶媒体を登録する請求項２に記載の画像形成装置。
【請求項４】
前記情報記憶媒体が登録されている場合、前記制御部は、ユーザ一覧画面において、情報記憶媒体が登録されていることを表す標章を表示する請求項２又は３に記載の画像形成装置。
【請求項５】
前記制御部は、第２の記憶部に、前記媒体識別情報、前記ユーザ名、及びユーザによって設定された画像形成装置における処理を記録する請求項１〜４のいずれか１項に記載の画像形成装置。
【請求項６】
前記画像形成装置における処理は、ユーザのすべての印刷ジョブについて印刷を行う全印刷モード、及びユーザのすべての印刷ジョブのうちの選択された印刷ジョブについて印刷を行う選択印刷モードである請求項５に記載の画像形成装置。
【請求項７】
前記制御部は、ユーザに対応させて複数の情報記憶媒体を登録する請求項１〜６のいずれか１項に記載の画像形成装置。
【発明の詳細な説明】
【技術分野】
【０００１】
本発明は、画像形成装置に関するものである。
【背景技術】
【０００２】
従来、プリンタ、複写機、ファクシミリ、複合機等の画像形成装置、例えば、ファクシミリにおいては、記憶装置としてのメモリに、ユーザを識別するためのユーザ識別情報が付与された印刷ジョブが記録されるようになっている。そして、ユーザがカードを、ファクシミリに配設された情報読取器としてのカードリーダにかざし、カードリーダがカードを認識すると、ファクシミリの制御部は、カードリーダによって読み取られたユーザ識別情報を読み込み、前記メモリからユーザ識別情報が付与された印刷ジョブの一覧を取得し、取得した印刷ジョブの一覧のうちの、ユーザによって選択された印刷ジョブについて印刷を行う。
【０００３】
また、ユーザがカードをカードリーダにかざした後にファクシミリに入力したパスワードが、ユーザ識別情報と対応させて設定されたパスワードと同じである場合、ユーザは、ファクシミリを使用する権限を有すると判断され、印刷を行うに当たり、タッチパネルに形成された操作画面において印刷枚数、用紙のサイズ等を指定することができる（例えば、特許文献１参照。）。
【先行技術文献】
【特許文献】
【０００４】
【特許文献１】特開２００７−２２１２２０号公報
【発明の概要】
【発明が解決しようとする課題】
【０００５】
しかしながら、前記従来のファクシミリにおいては、取得した印刷ジョブの一覧からユーザによって選択された印刷ジョブについて印刷を行うことができるようになっているが、そのためには、カードをカードリーダに認識させるとともに、ファクシミリにパスワードを入力する必要があるので、作業が煩わしいだけでなく、パスワードを忘れた場合は、ファクシミリを使用することができない。
【０００６】
また、ファクシミリのメモリに、ユーザ識別情報、ユーザ名、パスワード等のユーザに関する情報、すなわち、ユーザ情報をあらかじめ登録しておく必要があるが、ファクシミリの管理者でなければ、ユーザ情報を登録することができない。
【０００７】
本発明は、前記従来のファクシミリの問題点を解決して、印刷ジョブについて印刷を行うための作業を簡素化することができ、記憶装置にユーザ情報を登録しておく必要がない画像形成装置を提供することを目的とする。
【課題を解決するための手段】
【０００８】
そのために、本発明の画像形成装置においては、操作部及び表示部を備えた操作・表示部と、情報記憶媒体を認識するための情報読取器と、印刷ジョブを記録するための第１の記憶部、並びに情報記憶媒体の媒体識別情報及びユーザ名を記録するための第２の記憶部を備えた記憶装置と、制御部とを有する。
【０００９】
そして、該制御部は、前記情報読取器によって情報記憶媒体が認識されたときに、該情報記憶媒体の媒体識別情報を読み込み、該媒体識別情報と第１の記憶部に記録された印刷ジョブのユーザ名とを対応させて第２の記憶部に記録することによって前記情報記憶媒体を登録する。
【発明の効果】
【００１０】
本発明によれば、画像形成装置においては、操作部及び表示部を備えた操作・表示部と、情報記憶媒体を認識するための情報読取器と、印刷ジョブを記録するための第１の記憶部、並びに情報記憶媒体の媒体識別情報及びユーザ名を記録するための第２の記憶部を備えた記憶装置と、制御部とを有する。
【００１１】
そして、該制御部は、前記情報読取器によって情報記憶媒体が認識されたときに、該情報記憶媒体の媒体識別情報を読み込み、該媒体識別情報と第１の記憶部に記録された印刷ジョブのユーザ名とを対応させて第２の記憶部に記録することによって前記情報記憶媒体を登録する。
【００１２】
この場合、情報読取器によって情報記憶媒体が認識されたときに、該情報記憶媒体の媒体識別情報が読み込まれ、該媒体識別情報と第１の記憶部に記録された印刷ジョブのユーザ名とが対応させて第２の記憶部に記録されることによって前記情報記憶媒体が登録されるので、画像形成装置の管理者でなくても、容易に情報記憶媒体を登録することができる。
【００１３】
また、情報記憶媒体を使用して、第１の記憶部に記録された印刷ジョブについて容易に印刷を行うことができるので、印刷を行うための作業を簡素化することができ、しかも、記憶装置に、ユーザ識別情報、パスワード等のユーザ情報を登録しておく必要がない。
【図面の簡単な説明】
【００１４】
【図１】本発明の実施の形態におけるプリンタの制御ブロック図である。
【図２】本発明の実施の形態におけるプリンタの概念図である。
【図３】本発明の実施の形態におけるカードリーダ及びカードリーダに使用されるカードの種類を説明するための図である。
【図４】本発明の実施の形態における第１のジョブ一覧画面の例を示す図である。
【図５】本発明の実施の形態におけるユーザ一覧画面の例を示す図である。
【図６】本発明の実施の形態におけるＩＣカードの登録内容の例を示す図である。
【図７】本発明の実施の形態における印刷ジョブの記録内容の例を示す図である。
【図８】本発明の実施の形態における第２のジョブ一覧画面の例を示す図である。
【図９】本発明の実施の形態における第３のジョブ一覧画面の例を示す図である。
【図１０】本発明の実施の形態における印刷ジョブについて印刷を行うときのプリンタの動作を示すフローチャートである。
【図１１】本発明の実施の形態におけるＩＣカードに対応させてプリンタにおける処理を登録するときのプリンタの動作を示すフローチャートである。
【発明を実施するための形態】
【００１５】
以下、本発明の実施の形態について図面を参照しながら詳細に説明する。この場合、画像形成装置としてのプリンタについて説明する。
【００１６】
図２は本発明の実施の形態におけるプリンタの概念図である。
【００１７】
図において、１１はプリンタ、Ｐは該プリンタ１１の本体、すなわち、装置本体内を搬送される媒体としての用紙であり、前記プリンタ１１は、パソコン等の後述される上位装置としてのホストコンピュータ１０（図１）から送信された印刷データに基づいて画像データを生成し、該画像データに従って用紙Ｐに画像を形成することにより印刷の動作を行ったり、原稿の画像を読み取り、読取データを生成し、該読取データに基づいて画像データを生成し、該画像データに従って用紙Ｐに画像を形成することにより複写の動作を行ったりする。
【００１８】
そのために、前記装置本体の上部に、原稿の画像を読み取る読取部Ｐｔ１が、装置本体の中央部に、用紙Ｐに画像を形成する記録部Ｐｔ２が、装置本体の下部に、記録部Ｐｔ２に用紙Ｐを供給する給紙部Ｐｔ３が配設される。読取部Ｐｔ１は、プリンタ１１の筐体Ｃｓ上に、記録部Ｐｔ２及び給紙部Ｐｔ３は筐体Ｃｓ内に配設される。そして、読取部Ｐｔ１に情報読取器としてのカードリーダ２１が配設される。
【００１９】
前記給紙部Ｐｔ３には、図示されない紙管に用紙Ｐを巻回させて形成されたロール紙６４がセットされる。そして、紙管の両端にフランジ６５が固定され、該フランジ６５が、所定の間隔を置いて回転自在に配設されたコロ６６、６７上に載置される。
【００２０】
また、前記給紙部Ｐｔ３には、ロール紙６４と隣接させて、第１の搬送ローラ対６８が回転自在に配設され、搬送用の駆動部としての図示されない搬送用モータが駆動されて第１の搬送ローラ対６８が回転させられると、ロール紙６４から用紙Ｐが媒体搬送路Ｒｔに引き出され、搬送される。
【００２１】
前記第１の搬送ローラ対６８は、駆動ローラ及びピンチローラから成り、ピンチローラは、駆動ローラに押圧され、駆動ローラの回転に伴って回転させられる。用紙Ｐは、駆動ローラ及びピンチローラによって挟まれて搬送され、記録部Ｐｔ２に供給される。本実施の形態においては、媒体として用紙Ｐが使用されるようになっているが、用紙Ｐに代えて、薄いシート状の樹脂を使用することができる。
【００２２】
前記記録部Ｐｔ２には、用紙Ｐの搬送方向における第１の搬送ローラ対６８より下流側に、カッタ装置７０が配設され、該カッタ装置７０によって用紙Ｐがカットされる。
【００２３】
また、用紙Ｐの搬送方向におけるカッタ装置７０より下流側に、第２の搬送ローラ対７１が、該第２の搬送ローラ対７１より下流側に、第３の搬送ローラ対７２が回転自在に配設され、前記搬送用モータが駆動され、第２、第３の搬送ローラ対７１、７２が回転させられるのに伴って、用紙Ｐは媒体搬送路Ｒｔを更に搬送される。なお、第２、第３の搬送ローラ対７１、７２は、第１のローラ対６８と同様にそれぞれ駆動ローラ及びピンチローラから成り、用紙Ｐは、駆動ローラ及びピンチローラによって挟まれて搬送され、画像形成部Ｑに供給される。
【００２４】
該画像形成部Ｑにおいては、像担持体としての感光体ドラム５０が矢印方向に回転自在に配設され、該感光体ドラム５０と対向させて、かつ、感光体ドラム５０の回転方向に沿って、帯電装置としての帯電器５１、露光装置としてのＬＥＤヘッド５２、現像装置としての現像器５３、転写部材としての転写ローラ５４、分離部５５、クリーニング装置５６及び除電器５７が配設される。なお、前記現像器５３は、現像剤としての図示されないトナーを収容する現像剤収容部としてのトナーカートリッジ５８、及び感光体ドラム５０に当接させて回転自在に配設された現像剤担持体としての現像ローラ５９を備える。
【００２５】
したがって、画像形成部Ｑにおいては、帯電器５１によって感光体ドラム５０の表面が一様に帯電させられて、電荷のチャージが行われ、ＬＥＤヘッド５２によって感光体ドラム５０の表面が露光されて潜像としての静電潜像が形成され、現像ローラ５９によって静電潜像が現像されて、現像剤像としてのトナー像が形成される。
【００２６】
そして、前記給紙部Ｐｔ３から供給された用紙Ｐは、静電気力によって感光体ドラム５０に張り付き、背面から転写ローラ５４による転写バイアス及び押圧力を受けて、感光体ドラム５０上のトナー像が転写される。
【００２７】
トナー像が転写された用紙Ｐは、分離部５５による分離バイアスを受けて感光体ドラム５０から引き剥がされる。
【００２８】
また、トナー像が転写された後の感光体ドラム５０の表面には、トナーがわずかに残留するが、残留したトナーは、クリーニング装置５６に配設されたクリーニング部材としての図示されないゴム製のクリーニングブレードによって掻き取られ、除去され、クリーニング装置５６内に収容される。前記クリーニングブレードは、感光体ドラム５０の表面に適正な圧力で当接させられ、クリーニングブレードによって残留したトナーが除去された後の感光体ドラム５０の表面は、除電器５７によって除電され、リフレッシュされる。
【００２９】
なお、印刷データを編集することによって生成された画像データは、後述される印刷制御部２０（図１）に配設されたＲＩＰコントローラ基板によってラスタライズされて、ＬＥＤヘッド５２に供給される。
【００３０】
そして、前記記録部Ｐｔ２において、用紙Ｐの搬送方向における画像形成部Ｑより下流側に、搬送ベルト装置６０が配設され、該搬送ベルト装置６０より下流側に定着装置としての定着器６１が配設され、該定着器６１より下流側に、排出ローラ対６２が回転自在に配設される。
【００３１】
前記搬送ベルト装置６０は、回転自在に配設された駆動ローラＲ１及び従動ローラＲ２、駆動ローラＲ１と従動ローラＲ２との間に走行自在に張設された搬送ベルトＢｔ、並びに搬送ベルトＢｔ内に配設された用紙吸引用の図示されないファンを備え、用紙Ｐは、搬送ベルトＢｔの走行に伴って、搬送ベルトＢｔに形成された吸引孔によって吸引されて搬送され、定着器６１に供給される。
【００３２】
該定着器６１は、回転自在に配設された第１の定着部材としての定着ローラ６１ａ、及び該定着ローラ６１ａに押し付けて回転自在に配設された第２の定着部材としての加圧ローラ６１ｂを備え、用紙Ｐが定着ローラ６１ａと加圧ローラ６１ｂとの間を通過する間に、用紙Ｐ上のトナー像が加熱され、加圧されて用紙Ｐに定着させられ、用紙Ｐに画像が形成される。
【００３３】
このようにして画像が形成された用紙Ｐは、排出ローラ対６２によって装置本体外に排出される。なお、排出ローラ対６２は排紙ローラ及び従動ローラを備え、用紙Ｐは排紙ローラ及び従動ローラによって挟まれて排出される。
【００３４】
また、前記読取部Ｐｔ１は、原稿の画像を読み取る読取センサ７３、原稿を矢印方向に搬送し、読取センサ７３に供給する原稿搬送ローラ対７４等を備え、読取センサ７３及び原稿搬送ローラ対７４によってスキャナが構成される。
【００３５】
原稿搬送ローラ対７４によって搬送された原稿は読取センサ７３に送られ、読取センサ７３によって、原稿の画像が読み取られ、読取データが生成される。該読取データに基づいて印刷ジョブのデータが生成され、印刷ジョブのデータは、プリンタ１１の後述されるＨＤＤ１９（図１）に記録され、その後、ＬＥＤヘッド５２に送られる。そして、該ＬＥＤヘッド５２によって、感光体ドラム５０の表面にイメージが反転された静電潜像が形成される。
【００３６】
次に、前記プリンタ１１の制御装置について説明する。
【００３７】
図１は本発明の実施の形態におけるプリンタの制御ブロック図である。
【００３８】
図において、１０はホストコンピュータ、１１はプリンタであり、ホストコンピュータ１０とプリンタ１１とは、有線又は無線のネットワークＮｔを介して接続され、画像形成システムを構成する。
【００３９】
プリンタ１１は、インタフェース（Ｉ／Ｆ）１３、制御部１４、操作・表示部としての操作パネル１５、読取制御部１６、第１の記憶装置としてのＲＯＭ１７、第２の記憶装置としてのＲＡＭ１８、第３の記憶装置としてのＨＤＤ１９、印刷制御部２０、カードリーダ２１等を有する。
【００４０】
前記インタフェース１３は、ホストコンピュータ１０との間で送受信を行い、例えば、ホストコンピュータ１０から印刷データ、制御コマンド等を受信したり、プリンタ１１のステータス信号をホストコンピュータ１０に送信したりする。
【００４１】
前記制御部１４は、図示されないＣＰＵ等の演算装置を備え、ＲＯＭ１７に記録されているプログラムに従って、プリンタ１１の全体の制御、演算等を行う。そのために、制御部１４は、インタフェース１３、操作パネル１５、読取制御部１６、ＲＯＭ１７、ＲＡＭ１８、ＨＤＤ１９、印刷制御部２０、カードリーダ２１等と接続される。
【００４２】
前記操作パネル１５は、キー、ボタン等から成る操作部、及びＬＥＤ、液晶画面等から成る表示部を備える。ユーザは、操作部を操作することによって、プリンタ１１への指示を入力したり、各種の設定値を入力したりすることができ、表示部に表示された各種の情報を取得することができる。本実施の形態においては、操作パネル１５がタッチパネルによって形成され、ユーザはタッチパネルの所定の箇所にタッチすることによって入力を行うことができる。
【００４３】
前記読取制御部１６は、前記読取部Ｐｔ１（図２）の制御を行い、原稿の画像を読み取り、読取データを生成する。
【００４４】
前記ＲＯＭ１７には、前記プログラムが記録されるほかに、プリンタ１１の初期値、設定値等のデータが記録される。
【００４５】
前記ＲＡＭ１８は、制御部１４のワークエリアとして、かつ、各種のデータを一時的に記録するバッファとして利用される。
【００４６】
前記ＨＤＤ１９は、ホストコンピュータ１０から送信された印刷データ、制御コマンド等のほかに、印刷データに基づいて生成された印刷ジョブ、該印刷ジョブ自体のデータを編集することによって生成された画像データ等を記録するための第１の記憶部としての印刷ジョブ用の記憶部を備える。印刷ジョブには、ユーザの名称を表すユーザ名、印刷ジョブ自体のデータ等のほかに、印刷物のページ数、印刷部数、ファイルの名称を表すファイル名等が含まれる。また、印刷データと共にホストコンピュータ１０から送信された印刷データのユーザ名、ファイル名等が、印刷ジョブの関連情報として印刷ジョブ用の記憶部に記録される。さらに、読取部Ｐｔ１から送られた読取データに基づいて生成された印刷ジョブ、該印刷ジョブ自体のデータを編集することによって生成された画像データ等も同様に印刷ジョブ用の記憶部に記録される。
【００４７】
そして、ＨＤＤ１９に記録された複数の印刷ジョブは制御部１４によって管理される。
【００４８】
また、ＨＤＤ１９は、ＩＣカード、磁気カード等の情報記憶媒体としてのカード、本実施の形態においては、ＩＣカードを、ユーザに対応させて登録したり、管理したりするために第２の記憶部としての記憶媒体用の記憶部を備える。該記憶媒体用の記憶部には、ＩＣカードの媒体識別情報としてのＩＤと、ユーザ名と、ＩＣカードごとにユーザによって設定されたプリンタ１１における処理（モード）とが対応させて記録される。本実施の形態においては、プリンタ１１における処理として、ユーザのすべての印刷ジョブについて印刷を行う全印刷モード、及びユーザのすべての印刷ジョブのうちの選択された印刷ジョブについて印刷を行う選択印刷モードの二つの印刷モードがユーザよって選択され、設定される。
【００４９】
前記印刷制御部２０は、記録部Ｐｔ２及び給紙部Ｐｔ３の制御を行い、印刷ジョブのデータを編集することによって生成された画像データに基づいて用紙Ｐに画像を形成する。
【００５０】
次に、カードリーダ２１について説明する。
【００５１】
図３は本発明の実施の形態におけるカードリーダ及びカードリーダに使用されるカードの種類を説明するための図である。
【００５２】
カードリーダ２１は、仕様の異なる種々のカードＣｄｉ（ｉ＝１、２、…）のデータの読取り及び書込みを行うことができる。
【００５３】
例えば、カードＣｄ１は、ＩＳＯ／ＩＥＣ  １８０９２として設定・標準化されたＮＦＣ（Ｎｅａｒ  Ｆｉｅｌｄ  Ｃｏｍｍｕｎｉｃａｔｉｏｎ) の近距離無線通信規格のカードであり、カードＣｄ２は、ＩＳＯ／ＩＥＣ  １４４４３  Ｔｙｐｅ  Ｂとして設定・標準化された近距離無線通信規格のカードであり、カードＣｄ３は、ＩＳＯ／ＩＥＣ  １５６９３として設定・標準化された近距離無線通信規格のカードである。
【００５４】
本実施の形態においては、各ユーザが所有する、社員証、バス、鉄道等の定期券、マネーカード等の形態を有するＩＣカードを、カードリーダ２１にかざすことによって認識させ、ユーザに対応させてＩＣカードを登録したり、ＩＣカードを使用して、プリンタ１１に設定された処理を行ったりするようにしている。
【００５５】
ところで、前述されたように、ＨＤＤ１９には、ホストコンピュータ１０から送信された印刷データに基づいて生成された印刷ジョブ、読取部Ｐｔ１から送られた読取データに基づいて生成された印刷ジョブ等が記録されるようになっていて、各ユーザは、操作パネル１５に形成された後述される第１のジョブ一覧画面ｄｓ１（図４）によって、ＨＤＤ１９に記録された印刷ジョブを確認することができる。
【００５６】
図４は本発明の実施の形態における第１のジョブ一覧画面の例を示す図である。
【００５７】
図において、ｄｓ１は操作パネル１５の表示部に形成される第１のジョブ一覧画面であり、該第１のジョブ一覧画面ｄｓ１は、ユーザが、例えば、表示部に形成されたメニュー画面において、ジョブ一覧を選択することによって形成される。
【００５８】
前記第１のジョブ一覧画面ｄｓ１の表示領域Ａｒ１に、ＨＤＤ１９（図１）に記録された印刷ジョブの一覧が、ユーザ名、ページ数及び印刷部数によって表示され、ユーザは、所定の印刷ジョブにタッチすることによって、該印刷ジョブを選択することができる。
【００５９】
また、Ｆｒ１は印刷ジョブの一覧において所定の印刷ジョブが選択されていることを表す選択枠であり、図においては、ユーザＤによって、ユーザＤの印刷ジョブが選択されている。
【００６０】
そして、第１のジョブ一覧画面ｄｓ１において、前記表示領域Ａｒ１の下方に隣接させて、第１の選択情報表示部としての選択ファイル名表示部Ｂｒ１が形成され、該選択ファイル名表示部Ｂｒ１に、選択枠Ｆｒ１において選択された印刷ジョブのファイル名、この場合、ａａａが表示される。
【００６１】
なお、Ｃｕ１は、表示領域Ａｒ１に表示された印刷ジョブ以外の印刷ジョブを表示領域Ａｒ１に表示するための操作要素としてのカーソルであり、ユーザがカーソルＣｕ１にタッチすると、表示領域Ａｒ１がスクロール表示される。
【００６２】
また、ｍ１は、各印刷ジョブのユーザに対応させて登録されたＩＣカードの登録状況、本実施の形態においては、ユーザに対応させて１枚以上のＩＣカードが登録されていることを表す標章としてのマークである。ユーザに対応させて１枚以上のＩＣカードが登録されている場合、ユーザ名に隣接する箇所にマークｍ１が表示される。この場合、ユーザＡ、Ｂに対応させて１枚以上のＩＣカードが登録されていて、ユーザＤに対応させてＩＣカードは登録されていない。
【００６３】
また、前記第１のジョブ一覧画面ｄｓ１において、ｂｔ１は、選択枠Ｆｒ１において選択されている印刷ジョブについて印刷を行うための印刷指示用の操作要素としての「プリント」ボタンであり、ユーザＤが「プリント」ボタンｂｔ１にタッチすると、選択枠Ｆｒ１において選択された印刷ジョブについて、ファイル名がａａａで、ページ数が２にされ、印刷部数が１にされたファイルの印刷が行われる。
【００６４】
そして、ｂｔ２は、表示部の画面を、第１のジョブ一覧画面ｄｓ１から一つ前の画面に移行させるための操作要素としての「戻る」ボタン、ｂｔ３は、印刷ジョブの一覧から、選択枠Ｆｒ１において選択されている印刷ジョブを削除するための削除用の操作要素としての「削除」ボタンであり、ユーザＤが「削除」ボタンｂｔ３にタッチすると、ファイル名がａａａのファイルの印刷ジョブが削除される。
【００６５】
さらに、ｂｔ４は、第１のジョブ一覧画面ｄｓ１に表示された印刷ジョブのユーザに対応させてＩＣカードを登録する際にタッチされる登録用の操作要素としての「登録」ボタンである。例えば、選択枠Ｆｒ１において印刷ジョブを選択したユーザ、この場合、ユーザＤが「登録」ボタンｂｔ４にタッチすると、第１のジョブ一覧画面ｄｓ１に、ＩＣカードをカードリーダ２１にかざすように要求するメッセージが表示され、ユーザＤがＩＣカードをカードリーダ２１にかざし、ＩＣカードがカードリーダ２１によって認識されると、ユーザＤに対応させてＩＣカードが登録される。
【００６６】
また、第１のジョブ一覧画面ｄｓ１が形成されているときに、所定のユーザがＩＣカードをカードリーダ２１にかざし、カードリーダ２１がＩＣカードを認識すると、ＩＣカードに対応するユーザが選択され、プリンタ１１に設定された印刷モードに従って、ユーザの印刷ジョブについて印刷が行われる。
【００６７】
図５は本発明の実施の形態におけるユーザ一覧画面の例を示す図である。
【００６８】
図において、ｄｓ２はユーザ一覧画面であり、該ユーザ一覧画面ｄｓ２は、ユーザが、例えば、表示部に形成されたメニュー画面において、ユーザ一覧を選択するか、又は前記第１のジョブ一覧画面ｄｓ１において、選択枠Ｆｒ１において印刷ジョブを選択したユーザではないユーザが「登録」ボタンｂｔ４にタッチした場合に形成される。
【００６９】
前記ユーザ一覧画面ｄｓ２の表示領域Ａｒ２には、ＨＤＤ１９（図１）に記録された印刷ジョブのユーザの一覧がユーザ名によって表示され、各ユーザは、所定のユーザにタッチすることによって、該所定のユーザを選択することができる。前記表示領域Ａｒ２において、Ｆｒ２はユーザの一覧において所定のユーザが選択されていることを表す選択枠であり、図においては、ユーザＡのユーザが選択されている。
【００７０】
また、前記ユーザ一覧画面ｄｓ２において、前記表示領域Ａｒ２の下方に隣接させて、第２の選択情報表示部としての選択ユーザ名表示部Ｂｒ２が形成され、該選択ユーザ名表示部Ｂｒ２に、選択枠Ｆｒ２において選択されているユーザ名、この場合、ユーザＡが表示される。
【００７１】
また、ｍ２は、ユーザに対するＩＣカードの登録状態、本実施の形態においては、ユーザに対応させて１枚以上のＩＣカードが登録されていることを表す標章としてのマークである。ユーザに対応させて１枚以上のＩＣカードが登録されている場合、ユーザ名に隣接する箇所にマークｍ２が表示される。表示領域Ａｒ２においては、ユーザＡ〜Ｃに対応させて１枚以上のＩＣカードが登録されていて、ユーザＤに対応させてＩＣカードは登録されていない。
【００７２】
そして、ユーザ一覧画面ｄｓ２において、ｂｔ５は、ユーザに対応させてＩＣカードを登録するための登録用の操作要素としての「登録」ボタンである。
【００７３】
また、ユーザ一覧画面ｄｓ２の表示領域Ａｒ２の下方に、ＩＣカードを登録するときに、印刷モードを設定するための印刷指示領域Ｅが形成され、該印刷指示領域Ｅに、第１の印刷指示用の操作要素としての「全印刷」ボタンｂｔ６、及び第２の印刷指示用の操作要素としての「選択印刷」ボタンｂｔ７が形成される。「全印刷」ボタンｂｔ６はカードリーダ２１にかざされたＩＣカードによって決まるユーザの印刷ジョブについて全印刷モードを設定するためのものであり、「選択印刷」ボタンｂｔ７はＩＣカードによって決まるユーザの印刷ジョブについて選択印刷モードを設定するためのものである。
【００７４】
したがって、前記ユーザ一覧画面ｄｓ２において、所定のユーザが「登録」ボタンｂｔ５にタッチし、「全印刷」ボタンｂｔ６にタッチして、ＩＣカードをカードリーダ２１にかざし、カードリーダ２１がＩＣカードを認識すると、制御部１４は、記録媒体用の記憶部に、ＩＣカードのＩＤ、ユーザ名、及び全印刷モードを記録し、ユーザが「登録」ボタンｂｔ５にタッチし、「選択印刷」ボタンｂｔ７にタッチして、ＩＣカードをカードリーダ２１にかざし、カードリーダ２１がＩＣカードを認識すると、制御部１４は、記録媒体用の記憶部に、ＩＣカードのＩＤ、ユーザ名、及び選択印刷モードを記録する。
【００７５】
このように、ユーザに対応させてＩＣカードを登録する際に、プリンタ１１の印刷モードを設定することができるので、ユーザは、ＩＣカードを使用して、容易に、ユーザのすべての印刷ジョブについて印刷を行ったり、ユーザのすべての印刷ジョブのうちの選択した印刷ジョブについて印刷を行ったりすることができる。
【００７６】
なお、ユーザが「全印刷」ボタンｂｔ６又は「選択印刷」ボタンｂｔ７にタッチすると、タッチしたボタンの色が変化させられる。
【００７７】
また、本実施の形態においては、ユーザが、第１のジョブ一覧画面ｄｓ１に表示された印刷ジョブの一覧において所定の印刷ジョブにタッチし、「登録」ボタンｂｔ４にタッチするか、又は第１のジョブ一覧画面ｄｓ１に表示された印刷ジョブの一覧において所定のユーザにタッチし、「登録」ボタンｂｔ４にタッチするかの二つの方法でユーザを選択することができるので、ユーザに対応させてＩＣカードを登録するための作業を簡素化することができる。
【００７８】
次に、ＨＤＤ１９の記憶媒体用の記憶部に記録されたＩＣカードの登録内容について説明する。
【００７９】
図６は本発明の実施の形態におけるＩＣカードの登録内容の例を示す図である。
【００８０】
ＨＤＤ１９の記憶媒体用の記憶部には、ＩＣカードのＩＤ（図においてはカードＡ〜Ｈ）、ユーザ名、及びプリンタ１１における処理が、各エリアに分けて互いに対応させて記録される。プリンタ１１における処理において、０は全印刷モードが設定されていることを、１は選択印刷モードが設定されていることを表す。
【００８１】
したがって、制御部１４は、ＨＤＤ１９の記憶媒体用の記憶部を参照して、ＩＣカードのＩＤに基づいて、ユーザ名及びプリンタ１１における処理を検索することができる。
【００８２】
そして、各ユーザに対応させて複数のＩＣカードを登録することができ、この場合、ユーザＡに対応させて、４枚のカードＡ、Ｅ、Ｇ、Ｈが登録されている。また、各ＩＣカードに対応させて、一人のユーザ及び一つの処理だけが登録される。
【００８３】
すなわち、ユーザは、複数のＩＣカードを登録することによって、印刷ジョブ及びプリンタ１１における処理を使い分けることができる。また、１枚のＩＣカードに障害が発生したときに、他のＩＣカードを利用してプリンタ１１を使用することができる。
【００８４】
次に、ＨＤＤ１９に記録された印刷ジョブの記録内容について説明する。
【００８５】
図７は本発明の実施の形態における印刷ジョブの記録内容の例を示す図である。
【００８６】
ＨＨＤ１９には、図に示されるような印刷ジョブが、印刷の依頼の順番を示す番号（図においては１〜９）が付され、印刷ジョブの一覧として記録される。
【００８７】
各印刷ジョブは、印刷ジョブのユーザ名（図においてはユーザＡ〜Ｄ）、印刷ジョブ自体のデータ（図においてはデータＡ〜Ｉ）、ページ数、印刷部数及び印刷ジョブのファイル名から成り、印刷ジョブの番号と共に、それぞれＨＤＤ１９の印刷ジョブ用の記憶部の各エリアに分けて互いに対応させて記録される。
【００８８】
そして、前述されたように、第１のジョブ一覧画面ｄｓ１（図４）において、ユーザが「プリント」ボタンｂｔ１にタッチしたり、ユーザ一覧画面ｄｓ２（図５）が形成されているときに、ＩＣカードをカードリーダ２１にかざしたりした場合に、所定の印刷ジョブについて印刷が行われる。すなわち、制御部１４は、ＨＤＤ１９を参照し、印刷ジョブの一覧からユーザの印刷ジョブを検索し、印刷ジョブについての印刷を行う。
【００８９】
本実施の形態においては、ユーザが、ホストコンピュータ１０において、印刷するファイルを指定して印刷データ及び印刷の指示をプリンタ１１に送信すると、制御部１４は、指定されたファイルの印刷データに基づいて印刷ジョブを生成し、ＨＤＤ１９に記録する。なお、この場合、ユーザ名は、ユーザがホストコンピュータ１０にログインするときに使用したユーザ名にされる。
【００９０】
また、ユーザが読取部Ｐｔ１に原稿をセットすると、読取部Ｐｔ１によって原稿の画像が読み取られ、読取データが生成され、制御部１４は、読取データに基づいて印刷ジョブを生成し、ＨＤＤ１９に記録する。
【００９１】
なお、印刷ジョブは、作成された順に番号が付与されて記録され、印刷が終了すると、ＨＤＤ１９から削除される。
【００９２】
次に、プリンタ１１に全印刷モードが設定されているときに表示部に形成される第２のジョブ一覧画面について説明する。
【００９３】
図８は本発明の実施の形態における第２のジョブ一覧画面の例を示す図である。
【００９４】
図において、ｄｓ３は第２のジョブ一覧画面であり、該第２のジョブ一覧画面ｄｓ３は、プリンタ１１に全印刷モードが設定されていて、かつ、表示部にユーザ一覧画面ｄｓ２（図５）が形成されているときに、ＩＣカードがカードリーダ２１にかざされ、カードリーダ２１がＩＣカードを認識した場合に形成され、第２のジョブ一覧画面ｄｓ３の表示領域Ａｒ３にユーザのすべての印刷ジョブの一覧が表示されるとともに、ユーザのすべての印刷ジョブについて印刷が行われる。
【００９５】
例えば、ユーザＣがカードＦをカードリーダ２１にかざし、カードリーダ２１がカードＦを認識したときに、ユーザＣのすべての印刷ジョブの一覧が表示領域Ａｒ３に表示される。なお、ユーザＣの印刷ジョブのデータは、図７に示されるように、データＦ及びＨであるので、表示領域Ａｒ３には、ユーザ名であるユーザＣとデータＦ及びＨのページ数及び印刷部数とが対応させて表示され、ユーザＣのすべての印刷ジョブについて印刷が行われる。
【００９６】
そして、表示領域Ａｒ３に表示された各印刷ジョブに付されたボックスｑ１、ｑ２がいずれも黒く塗りつぶされ、第２のジョブ一覧画面ｄｓ３に形成された操作要素としての「プリント」ボタンｂｔ８の色が変化させられる。なお、第２のジョブ一覧画面ｄｓ３において、ｂｔ９は、表示部の画面を、第２のジョブ一覧画面ｄｓ３から一つ前の画面に移行させるための操作要素としての「戻る」ボタンである。
【００９７】
次に、プリンタ１１に選択印刷モードが設定されているときに表示部に形成される第３のジョブ一覧画面について説明する。
【００９８】
図９は本発明の実施の形態における第３のジョブ一覧画面の例を示す図である。
【００９９】
図において、ｄｓ４は第３のジョブ一覧画面であり、該第３のジョブ一覧画面ｄｓ４は、プリンタ１１に選択印刷モードが設定されていて、かつ、表示部にユーザ一覧画面ｄｓ２（図５）が形成されているときに、ＩＣカードがカードリーダ２１にかざされ、カードリーダ２１がＩＣカードを認識した場合に形成され、第３のジョブ一覧画面ｄｓ４の表示領域Ａｒ４に、ユーザのすべての印刷ジョブの一覧が表示される。
【０１００】
例えば、ユーザＣがカードＣをカードリーダ２１にかざし、カードリーダ２１がカードＣを認識したときに、ユーザＣのすべての印刷ジョブの一覧が表示領域Ａｒ４に表示される。
【０１０１】
そして、ユーザＣが、印刷ジョブの一覧において所定の印刷ジョブ、例えば、データＨの印刷ジョブを選択し、第３のジョブ一覧画面ｄｓ４に形成された操作要素としての「プリント」ボタンｂｔ１０にタッチすると、データＨの印刷ジョブについて印刷が行われる。
【０１０２】
そして、表示領域Ａｒ４に表示された印刷ジョブに付されたボックスｑ３、ｑ４のうちのボックスｑ４が黒く塗りつぶされる。なお、第３のジョブ一覧画面ｄｓ４において、ｂｔ１１は、表示部の画面を、第３のジョブ一覧画面ｄｓ４から一つ前の画面に移行させるための操作要素としての「戻る」ボタンである。
【０１０３】
そして、黒く塗りつぶされていないボックスｑ３の印刷ジョブについては、ユーザが「プリント」ボタンｂｔ１０にタッチしても、印刷が行われることはない。
【０１０４】
次に、印刷ジョブについて印刷を行うときのプリンタ１１の動作について説明する。
【０１０５】
図１０は本発明の実施の形態における印刷ジョブについて印刷を行うときのプリンタの動作を示すフローチャートである。
【０１０６】
ユーザが、例えば、表示部に形成されたメニュー画面において印刷ジョブについての印刷メニーを選択すると、制御部１４は表示部に第１のジョブ一覧画面ｄｓ１（図４）を形成する。
【０１０７】
表示部に第１のジョブ一覧画面ｄｓ１が形成されているときに、ユーザがＩＣカードをカードリーダ２１にかざし、カードリーダ２１がＩＣカードを認識すると、制御部１４は、ＩＣカードのＩＤを読み込み、ＨＤＤ１９の記憶媒体用の記憶部を参照し、ＩＤに対応するユーザ名を読み出し、続いて、ＨＤＤ１９の印刷ジョブ用の記憶部を参照し、印刷ジョブ用の記憶部に記録された印刷ジョブにおいて、ＩＤに対応するユーザ名と同じユーザ名の印刷ジョブがあるかどうか、すなわち、ＩＣカードに対応するユーザの印刷ジョブがあるかどうかを判断する。
【０１０８】
ＩＣカードに対応するユーザの印刷ジョブがない場合、制御部１４は、表示部に、印刷ができない旨のエラー表示を行い、ユーザに通知する。
【０１０９】
そして、ＩＣカードに対応するユーザの印刷ジョブがある場合、制御部１４は、各印刷ジョブの一覧を第１のジョブ一覧画面ｄｓ１の表示領域Ａｒ１に表示する。なお、制御部１４は、印刷ジョブ用の記憶部において、表示領域Ａｒ１に表示した各印刷ジョブを容易に識別することができるように、各印刷ジョブにフラグを付けておくことができる。
【０１１０】
続いて、制御部１４は、ユーザ一覧画面ｄｓ２（図５）においてユーザの一覧を表示する。
【０１１１】
そして、制御部１４は、プリンタ１１に全印刷モードが設定されているかどうかを判断する。
【０１１２】
プリンタ１１に全印刷モードが設定されている場合、制御部１４は、表示部に第２のジョブ一覧画面ｄｓ３（図８）を形成し、表示領域Ａｒ３に、ＩＣカードに対応するユーザのすべての印刷ジョブを表示し、各印刷ジョブについて印刷を行う。
【０１１３】
また、プリンタ１１に全印刷モードが設定されておらず、選択印刷モードが設定されている場合、制御部１４は、表示部に第３のジョブ一覧画面ｄｓ４（図９）を形成し、表示領域Ａｒ４に、ＩＣカードに対応するユーザのすべての印刷ジョブを表示し、ユーザがすべての印刷ジョブのうちの所定の印刷ジョブを選択するのを待機する。ユーザが表示領域Ａｒ４に表示された印刷ジョブのうちの所定の印刷ジョブを選択し、タッチすると、制御部１４は、ユーザが選択した印刷ジョブについて印刷を行う。このとき、表示領域Ａｒ４に表示された印刷ジョブに付されたボックスｑ３、ｑ４のうちの、ユーザが選択した印刷ジョブに付されたボックスが黒く塗りつぶされる。なお、前記印刷ジョブに再びタッチすると、印刷ジョブの選択が解除される。
【０１１４】
続いて、ユーザが、第３のジョブ一覧画面ｄｓ４に形成された「プリント」ボタンｂｔ１０にタッチすると、制御部１４はユーザが選択した印刷ジョブについて印刷を行う。
【０１１５】
次に、フローチャートについて説明する。
ステップＳ１  制御部１４はＩＣカードに対応するユーザの印刷ジョブがあるかどうかを判断する。ＩＣカードに対応するユーザの印刷ジョブがある場合はステップＳ２に進み、ＩＣカードに対応するユーザの印刷ジョブがない場合はステップＳ３に進む。
ステップＳ２  制御部１４は印刷ジョブの一覧を表示する。
ステップＳ３  制御部１４はエラー表示を行い、処理を終了する。
ステップＳ４  制御部１４はプリンタ１１に全印刷モードが設定されているかどうかを判断する。プリンタ１１に全印刷モードが設定されている場合はステップＳ５に進み、プリンタ１１に全印刷モードが設定されていない場合はステップＳ６に進む。
ステップＳ５  制御部１４はＩＣカードに対応するユーザのすべての印刷ジョブについて印刷を行い、処理を終了する。
ステップＳ６  制御部１４はユーザが選択した印刷ジョブについて印刷を行い、処理を終了する。
【０１１６】
次に、ＩＣカードに対応させてプリンタ１１における処理を登録するときのプリンタ１１の動作について説明する。
【０１１７】
図１１は本発明の実施の形態におけるＩＣカードに対応させてプリンタにおける処理を登録するときのプリンタの動作を示すフローチャートである。
【０１１８】
表示部に第１のジョブ一覧画面ｄｓ１（図４）が形成されているときに、ユーザが「登録」ボタンｂｔ４にタッチすると、制御部１４は、表示部にユーザ一覧画面ｄｓ２（図５）を形成し、ユーザ一覧画面ｄｓ２の表示領域Ａｒ２に、ＨＤＤ１９（図１）に記録された印刷ジョブのユーザの一覧をユーザ名で表示する。
【０１１９】
続いて、ユーザは、表示領域Ａｒ２に表示されたユーザの一覧のうちの所定のユーザにタッチすることによって、ユーザの一覧のうちの所定のユーザを選択する。
【０１２０】
次に、ユーザは、ＩＣカードに対応させてプリンタ１１における処理を設定するために、印刷指示領域Ｅの「全印刷」ボタンｂｔ６又は「選択印刷」ボタンｂｔ７にタッチし、プリンタ１１に全印刷モード又は選択印刷モードを設定する。
【０１２１】
続いて、制御部１４は、表示部にメッセージを表示することによって、ユーザに対してＩＣカードをカードリーダ２１にかざすよう要求し、ＩＣカードがカードリーダ２１にかざされるのを待機する。すなわち、制御部１４は、ユーザがＩＣカードを所定の時間内、例えば、１０〔秒〕以内にかざし、カードリーダ２１によってＩＣカードが認識されたかどうを判断する。
【０１２２】
ユーザがＩＣカードを所定の時間内にかざし、カードリーダ２１によってＩＣカードが認識された場合、制御部１４は、ＩＣカードからＩＤを読み込み、ＩＤ、表示領域Ａｒ２において選択されたユーザのユーザ名、及びユーザが入力したプリンタ１１における処理を互いに対応させてＨＤＤ１９の記憶媒体用の記憶部に記録することによって、ユーザに対応させてＩＣカードを登録する。
【０１２３】
ユーザがＩＣカードを所定の時間内にかざさず、カードリーダ２１によってＩＣカードが認識されなかった場合、制御部１４は、表示部に、ＩＣカードにプリンタ１１における処理を登録することができない旨のエラー表示を行い、ユーザに通知する。
【０１２４】
次に、フローチャートについて説明する。
ステップＳ１１  制御部１４は表示部にユーザ一覧画面ｄｓ２を形成し、ユーザ一覧画面ｄｓ２の表示領域Ａｒ２に印刷ジョブのユーザの一覧を表示する。
ステップＳ１２  ユーザはユーザの一覧のうちの所定のユーザを選択する。
ステップＳ１３  ユーザはプリンタ１１における処理を設定する。
ステップＳ１４  制御部１４はユーザに対してＩＣカードをカードリーダ２１にかざすよう要求する。
ステップＳ１５  制御部１４はカードリーダ２１によってＩＣカードが認識されたかどうを判断する。ＩＣカードが認識された場合はステップＳ１６に進み、ＩＣカードが認識されなかった場合はステップＳ１７に進む。
ステップＳ１６  制御部１４はＨＤＤ１９にＩＣカードのＩＤ、ユーザ名及びプリンタ１１における処理をそれぞれ対応させて記録し、処理を終了する。
ステップＳ１７  制御部１４はエラー表示を行い、処理を終了する。
【０１２５】
このように、本実施の形態においては、カードリーダ２１によってＩＣカードが認識されたときに、ＨＤＤ１９の印刷ジョブ用の記憶部に記録された印刷ジョブのユーザのうちの所定のユーザに対応させて、ＩＣカードが記憶媒体用の記憶部に登録されるので、プリンタ１１の管理者でなくても、ＩＣカードを容易に登録することができる。
【０１２６】
また、ユーザは、ＩＣカードを使用して、すなわち、ＩＣカードをカードリーダ２１にかざすだけで、印刷ジョブ用の記憶部に記録されたユーザ自身の印刷ジョブについて容易に印刷を行うことができ、印刷を行うための作業を簡素化することができる。しかも、ＨＤＤ１９に、ユーザ識別情報、パスワード等のユーザ情報をあらかじめ登録しておく必要がない。
【０１２７】
本実施の形態において、カードリーダ２１は、ＩＣカードがかざされたときにＩＣカードを認識するようになっているが、カードリーダ２１に形成された図示されない挿入溝にＩＣカードが挿入されたときにＩＣカードを認識するようにすることができる。
【０１２８】
また、本実施の形態においては、操作パネル１５がタッチパネルによって形成され、ユーザがタッチパネルの所定の箇所にタッチすることによって入力を行うようになっているが、ユーザが操作部としてマウス等を使用し、タッチパネルの所定の箇所をクリックすることによって入力を行うようにすることができる。
【０１２９】
前記実施の形態においては、プリンタ１１について説明しているが、本発明を複写機、ファクシミリ、電子写真式プリンタ、インクジェットプリンタ等の画像形成装置に適用することができる。
【０１３０】
なお、本発明は前記実施の形態に限定されるものではなく、本発明の趣旨に基づいて種々変形させることが可能であり、それらを本発明の範囲から排除するものではない。
【符号の説明】
【０１３１】
１１    プリンタ
１４    制御部
１５    操作パネル
１９    ＨＤＤ
２１    カードリーダ
【図１】
2018047651.tif 000003
【図２】
2018047651.tif 000004
【図３】
2018047651.tif 000005
【図４】
2018047651.tif 000006
【図５】
2018047651.tif 000007
【図６】
2018047651.tif 000008
【図７】
2018047651.tif 000009
【図８】
2018047651.tif 000010
【図９】
2018047651.tif 000011
【図１０】
2018047651.tif 000012
【図１１】
2018047651.tif 000013